(57)【要約】【課題】良好な端子の接続性を確保しつつ電線端部での絶縁被覆内部への水の浸入を抑制することができる技術を提供することを目的とする。【解決手段】端子付電線１０は、芯線１４と前記芯線１４の周囲に設けられた絶縁被覆１８とを含み、前記芯線１４が露出した芯線露出部１５が端部に形成された電線１２と、前記芯線露出部１５に接続される第１電線固定部２２と、前記第１電線固定部２２に連なり、相手方の導体と接続可能な接続部２６とを含む端子２０と、を備える。また、端子付電線１０は、前記電線１２のうち前記第１電線固定部２２が接続される部分よりも後端側の芯線露出部１５から絶縁被覆１８に至る部分に被せられる収縮チューブ３０と、前記収縮チューブ３０の内部の隙間を埋める止水剤４０と、を備える。【選択図】図１
2016167349.tif 000002
【特許請求の範囲】
【請求項１】
芯線と前記芯線の周囲に設けられた絶縁被覆とを含み、前記芯線が露出した芯線露出部が端部に形成された電線と、
前記芯線露出部に接続される第１電線固定部と、前記第１電線固定部に連なり、相手方の導体と接続可能な接続部とを含む端子と、
前記電線のうち前記第１電線固定部が接続される部分よりも後端側の芯線露出部から絶縁被覆に至る部分に被せられる収縮チューブと、
前記収縮チューブの内部の隙間を埋める止水剤と、
を備える、端子付電線。
【請求項２】
請求項１に記載の端子付電線であって、
前記端子は、前記第１電線固定部に対して前記接続部とは反対側に設けられる第２電線固定部をさらに含み、
前記第２電線固定部が前記収縮チューブの周囲に圧着されている、端子付電線。
【請求項３】
請求項２に記載の端子付電線であって、
前記収縮チューブのうち前記芯線露出部の周囲に被せられている部分の周囲に前記第２電線固定部が圧着されている、端子付電線。
【請求項４】
請求項１に記載の端子付電線であって、
前記端子は、前記第１電線固定部に対して前記接続部とは反対側に設けられる第２電線固定部をさらに含み、
前記収縮チューブが前記第２電線固定部の周囲に被せられている、端子付電線。
【請求項５】
請求項１〜請求項４のいずれか１項に記載の端子付電線であって、
前記芯線は複数の素線を含み、
前記収縮チューブが被される部分よりも先端側で、前記芯線露出部の前記複数の素線同士が溶接されている、端子付電線。
【請求項６】
請求項５に記載の端子付電線であって、
前記芯線露出部のうち前記第１電線固定部が接続される部分の前記複数の素線同士が溶接されている、端子付電線。
【発明の詳細な説明】
【技術分野】
【０００１】
この発明は、電線の端部に端子が取り付けられた端子付電線に関する。
【背景技術】
【０００２】
芯線の周囲に絶縁被覆が設けられた被覆電線において、電線の端部に端子が取り付けられる際に、被覆が皮剥ぎされるなどして、芯線が露出する部分（芯線露出部）が生じる。この芯線露出部を含む電線の止水方法が例えば、特許文献１に開示されている。
【０００３】
特許文献１に記載の電線の止水方法は、電線の中間部分を皮剥ぎし、当該皮剥ぎした部分に止水剤を滴下して、滴下された止水剤が絶縁被覆層の内部の芯線の素線間に浸透するように、電線端部から滴下された止水剤を吸引するとされている。
【先行技術文献】
【特許文献】
【０００４】
【特許文献１】特開２００９−１３５０７３号公報
【発明の概要】
【発明が解決しようとする課題】
【０００５】
しかしながら、特許文献１に記載の止水方法では、電線の中間部の被覆を剥ぎ取って止水剤を浸透させる必要があるため、工程が複雑となり、時間を要する恐れがある。
【０００６】
ところで、上記止水方法以外にも、例えば、電線端部及び端子に止水剤をつけると共に収縮チューブを被せて止水を図る方法もある。この場合、電線端部に端子が取り付けられた後、端子のうち芯線が接続されるワイヤーバレルよりも相手方端子への接続部側寄りの部分まで止水剤がつけられる。このため、止水剤が接続部まで流れていき、接続性が悪化する恐れがあった。
【０００７】
そこで、本発明は、良好な端子の接続性を確保しつつ電線端部での絶縁被覆内部への水の浸入を抑制することができる技術を提供することを目的とする。
【課題を解決するための手段】
【０００８】
上記課題を解決するため、第１の態様に係る端子付電線は、芯線と前記芯線の周囲に設けられた絶縁被覆とを含み、前記芯線が露出した芯線露出部が端部に形成された電線と、前記芯線露出部に接続される第１電線固定部と、前記第１電線固定部に連なり、相手方の導体と接続可能な接続部とを含む端子と、前記電線のうち前記第１電線固定部が接続される部分よりも後端側の芯線露出部から絶縁被覆に至る部分に被せられる収縮チューブと、前記収縮チューブの内部の隙間を埋める止水剤と、を備える。
【０００９】
第２の態様に係る端子付電線は、第１の態様に係る端子付電線であって、前記端子は、前記第１電線固定部に対して前記接続部とは反対側に設けられる第２電線固定部をさらに含み、前記第２電線固定部が前記収縮チューブの周囲に圧着されている。
【００１０】
第３の態様に係る端子付電線は、第２の態様に係る端子付電線であって、前記収縮チューブのうち前記芯線露出部の周囲に被せられている部分の周囲に前記第２電線固定部が圧着されている。
【００１１】
第４の態様に係る端子付電線は、第１の態様に係る端子付電線であって、前記端子は、前記第１電線固定部に対して前記接続部とは反対側に設けられる第２電線固定部をさらに含み、前記収縮チューブが前記第２電線固定部の周囲に被せられている。
【００１２】
第５の態様に係る端子付電線は、第１〜第４のいずれか１つの態様に係る端子付電線であって、前記芯線は複数の素線を含み、前記収縮チューブが被される部分よりも先端側で、前記芯線露出部の前記複数の素線同士が溶接されている。
【００１３】
第６の態様に係る端子付電線は、第５の態様に係る端子付電線であって、前記芯線露出部のうち前記第１電線固定部が接続される部分の前記複数の素線同士が溶接されている。
【発明の効果】
【００１４】
第１〜第６の態様に係る端子付電線によると、芯線と芯線の周囲に設けられた絶縁被覆とを含み、芯線が露出した芯線露出部が端部に形成された電線と、芯線露出部に圧着される第１電線固定部と、第１電線固定部に連なり、相手方の導体と接続可能な接続部とを含む端子と、電線のうち第１電線固定部が圧着される部分よりも後端側の芯線露出部から絶縁被覆に至る部分に被せられる収縮チューブと、収縮チューブの内部の隙間を埋める止水剤と、を備えるため、止水剤が接続部まで流れることを抑制することができる。これにより、良好な端子の接続性を確保しつつ電線端部での絶縁被覆内部への水の浸入を抑制することができる。
【００１５】
特に、第２の態様に係る端子付電線によると、端子が第１電線固定部に対して接続部とは反対側に設けられる第２電線固定部をさらに含み、第２電線固定部が収縮チューブの周囲に圧着されているため、電線固定部が複数あるタイプの端子でも、良好な端子の接続性を確保しつつ電線端部での絶縁被覆内部への水の浸入を抑制することができる。また、端子の接続前に収縮チューブを電線の周囲に被せることができる。
【００１６】
特に、第３の態様に係る端子付電線によると、収縮チューブのうち芯線露出部の周囲に被せられている部分の周囲に第２電線固定部が圧着されているため、収縮チューブの厚みを絶縁被覆の厚みと同程度に設定することで、第２電線固定部が絶縁被覆に圧着される、いわゆるインシュレーションバレルである端子でも、良好な端子の接続性を確保しつつ電線端部での絶縁被覆内部への水の浸入を抑制することができる。
【００１７】
特に、第４の態様に係る端子付電線によると、端子が第１電線固定部に対して接続部とは反対側に設けられる第２電線固定部をさらに含み、収縮チューブが第２電線固定部の周囲に被せられているため、第１電線固定部及び第２電線固定部が共に芯線に圧着される、いわゆるワイヤーバレルである端子でも、良好な端子の接続性を確保しつつ電線端部での絶縁被覆内部への水の浸入を抑制することができる。
【００１８】
特に、第５の態様に係る端子付電線によると、芯線は複数の素線を含み、収縮チューブが被される部分よりも先端側で、芯線露出部の複数の素線同士が溶接されているため、止水剤が毛細管現象等で素線同士の間を通って先端側に進入しようとした場合でも、芯線露出部のうち溶接されている部分より先に浸入しない。これにより、接続部と相手方の導体の良好な接続性をより確実に確保することができる。
【００１９】
特に、第６の態様に係る端子付電線によると、芯線露出部のうち第１電線固定部が接続される部分の複数の素線同士が溶接されているため、止水剤が第１電線固定部に接続される部分まで浸透して第１電線固定部と芯線との接続性が悪化することを抑制することができる。
【図面の簡単な説明】
【００２０】
【図１】第１実施形態に係る端子付電線を示す正面図である。
【図２】収縮チューブが被せられる前の電線を示す正面図である。
【図３】収縮チューブが被せられた後の電線を示す正面図である。
【図４】芯線が溶接された電線であって、収縮チューブが被せられる前の電線を示す正面図である。
【図５】芯線が溶接された電線であって、収縮チューブが被せられた後の電線を示す正面図である。
【図６】第２実施形態に係る端子付電線を示す正面図である。
【図７】第３実施形態に係る端子付電線を示す正面図である。
【図８】第４実施形態に係る端子付電線を示す正面図である。
【図９】第５実施形態に係る端子付電線を示す正面図である。
【発明を実施するための形態】
【００２１】
｛第１実施形態｝
以下、第１実施形態に係る端子付電線１０について説明する。図１は、第１実施形態に係る端子付電線１０を示す正面図である。図２は、収縮チューブ３０が被せられる前の電線１２を示す正面図である。図３は、収縮チューブ３０が被せられた後の電線１２を示す正面図である。
【００２２】
第１実施形態に係る端子付電線１０は、電線１２と、端子２０と、収縮チューブ３０と、止水剤４０とを備える。端子付電線１０は、電線１２端部において、水等が絶縁被覆１８の内部に浸入することを抑制可能に形成されている。
【００２３】
従来、端子付電線の止水を図る場合、端子のうちワイヤーバレル（第１電線固定部）も含めてそれよりも先端側まで接着剤付きの収縮チューブを被せる、又は、ワイヤーバレル周辺部分に止水剤を滴下或いは塗布する等していた。ワイヤーバレルは相手方の導体と接続する接続部に近いため、ワイヤーバレル近傍に設けた止水剤が接続部まで流れてしまう場合があった。この場合、従来では、接続部まで流れて固まった止水剤を除去するなどされていた。本実施形態では、そもそも接続部まで止水剤が流れないようにしようとするものである。
【００２４】
電線１２は、芯線１４と芯線１４の周囲に設けられた絶縁被覆１８とを含む。芯線１４は、少なくとも１本の銅又はアルミニウム等の導電性材料で形成された素線で構成される。ここでは、芯線１４は、複数の素線で構成されるものとして説明する。絶縁被覆１８は、絶縁性を有する材料を芯線１４の周囲に押し出すなどして形成される。また、図２に示されるように、電線１２の端部には、芯線１４が露出した芯線露出部１５が形成されている。芯線露出部１５は、電線１２の端部の絶縁被覆１８を皮剥ぎするなどして、形成される。電線１２は、車両等の配設対象箇所に配設された状態で、車両等に搭載された各種電気機器同士を電気的に接続するものとして用いられる。
【００２５】
収縮チューブ３０は、電線１２のうち後述する端子２０の第１電線固定部２２が接続される部分よりも後端側の芯線露出部１５から絶縁被覆１８に至る部分に被せられる部材である。つまり、電線１２の芯線露出部１５には、収縮チューブ３０が被せられている部分と被せられていない部分が存在し、収縮チューブ３０が被せられていない部分が先端に位置する。そして、芯線露出部１５のうち収縮チューブ３０が被せられていない部分が第１電線固定部２２に接続される。
【００２６】
具体的には、収縮チューブ３０は、管状に形成され、その径が小さくなるように収縮可能に形成されている。図３に示されるように、収縮チューブ３０は、収縮前の状態で電線１２に被せられて、その後収縮することで、電線１２に密着している。ここでは、収縮チューブ３０として、熱により収縮可能な熱収縮チューブ３０が用いられている。もっとも、収縮チューブ３０としては、径を広げた状態で対象に被せた後に収縮可能なものであればよい。
【００２７】
より詳細には、熱収縮チューブ３０は、例えば、ポリオレフィン系、ナイロン系、シリコーン系、フッ素樹脂系又はポリエステルエラストマー系などの合成樹脂からなる筒状の部材である。熱収縮チューブ３０は、押し出し成形によりごく細い筒状に成形された樹脂部材が、加熱された状態で太い筒状へ引き伸ばされた後に冷却されることによって得られる。このようにして得られた熱収縮チューブ３０は、加熱された場合、引き伸ばされる前の細い筒状まで収縮する形状記憶特性を有する。
【００２８】
止水剤４０は、収縮チューブ３０の内部の隙間を埋める部材である。止水剤４０としては、流動性を有する樹脂であればよい。止水剤４０は、例えば、変性オレフィン系又はポリエステル系のホットメルト接着剤等の熱可塑性の部材を含むことが考えられる。
【００２９】
ここでは、止水剤４０としてホットメルト接着剤が採用されているものとして説明する。より詳細には、収縮チューブ３０として熱収縮チューブ３０が用いられているため、収縮チューブ３０を収縮させるために加熱する必要がある。この際、止水剤４０としてホットメルト接着剤が用いられていると、止水剤４０を予め収縮チューブ３０の内部に仕込んでおいた場合でも、この加熱の際に、止水剤４０が軟化し、収縮チューブ３０内で流動する。これにより、止水剤４０が収縮チューブ３０の収縮に伴って収縮チューブ３０内の隙間に入りこみ、当該隙間を埋めることができる。
【００３０】
また、ここでは、止水剤４０は、収縮チューブ３０の端部からはみ出すようにその量が調節されている。これにより、止水剤４０が収縮チューブ３０と電線１２との間及び素線間に浸透していることを目視にて確認することができる。もっとも、止水剤は、収縮チューブ３０からはみ出していなくてもよい。
【００３１】
なお、芯線１４が複数の素線を含む場合、止水剤４０は、複数の素線間に入りこむために低粘度であることが好ましい。このため、ホットメルト接着剤の他にホットメルト接着剤よりも低粘度の接着剤、例えば、シリコーン樹脂系の接着剤を採用することも考えられる。もちろん、芯線１４が複数の素線を含む場合でも、ホットメルト接着剤が複数の素線間に入りこむことも考えられる。
【００３２】
端子２０は、第１電線固定部２２と接続部２６とを含む。さらにここでは、端子２０は、第２電線固定部２４を含む。ここでは、端子２０は、電線１２に圧着されて取り付けられる。そして、ここでは、図３のように電線１２に収縮チューブ３０を被せて、収縮及び止水剤４０の硬化をさせたものに端子２０を圧着している。
【００３３】
第１電線固定部２２は、芯線露出部１５に接続される。より詳細には、芯線露出部１５のうち電線１２の先端から間隔をあけた位置から絶縁被覆１８に至る部分に収縮チューブ３０が被せされる。つまり、電線１２先端には、収縮チューブ３０が被せられていない部分が存在しており、第１電線固定部２２は、芯線露出部１５のうち当該収縮チューブ３０が被せられていない部分に接続される。
【００３４】
上述したように、ここでは、第１電線固定部２２は芯線露出部１５に圧着されることで接続されるものとして説明する。具体的には、第１電線固定部２２は、第１底部２３ａと、第１底部２３ａに立設された一対の第１立設片２３ｂとを含む。そして、第１底部２３ａ上に芯線露出部１５のうち収縮チューブ３０が被せられていない部分が配設された状態で、第１立設片２３ｂの先端を第１底部２３ａに向けて倒していき、第１底部２３ａと第１立設片２３ｂとで芯線露出部１５を挟み込むことで、第１電線固定部２２と芯線１４とが接続される。もっとも、第１電線固定部２２の芯線１４への接続方法は、これに限られるものではない。例えば、第１電線固定部は、芯線に溶接等の接合により接続されていてもよい。
【００３５】
接続部２６は、第１電線固定部２２に連なる部分である。接続部２６は、相手方の導体と接続可能に形成されている。具体的には、接続部２６は、ここでは、第１電線固定部２２の第１底部２３ａが延在方向に延出するように平板状に形成され、その主面を貫く貫通孔が形成されている。そして、接続部２６は、接続対象に対してこの貫通孔を用いてネジ等で螺合されることで、接続対象との接続が図られる。
【００３６】
もっとも、接続部２６の形状としては、これに限られるものではない。接続部２６の形状としては、例えば、ピン状又はタブ状等のいわゆるオス端子の形状であってもよい。また、例えば、筒状に形成された、いわゆるメス端子の形状であってもよい。
【００３７】
第２電線固定部２４は、第１電線固定部２２に対して接続部２６とは反対側に設けられる。ここでは、第２電線固定部２４も電線１２に圧着される形状に形成されている。具体的には、第２電線固定部２４は、第２底部２５ａと、第２底部２５ａに立設された一対の第２立設片２５ｂとを含む。第２底部２５ａは、第１電線固定部２２の第１底部２３ａが接続部２６とは反対側に延出した部分である。
【００３８】
第２電線固定部２４は、収縮チューブ３０の周囲に圧着されている。特に、ここでは、第２電線固定部２４は、収縮チューブ３０のうち芯線露出部１５の周囲に被せられている部分の周囲に圧着されている。
【００３９】
より詳細には、第２底部２５ａ上に芯線露出部１５の周囲に被せられている収縮チューブ３０が配設された状態で、第２立設片２５ｂの先端を第２底部２５ａに向けて倒していき、第２底部２５ａと第２立設片２５ｂとで芯線露出部１５及びその周囲の収縮チューブ３０を挟み込む。これにより、第２電線固定部２４が芯線露出部１５の周囲に被せられた収縮チューブ３０の周囲に加締められている。
【００４０】
もっとも、第２電線固定部２４が、収縮チューブ３０のうち芯線露出部１５の周囲に被せられている部分の周囲に圧着されていることは必須ではない。第２電線固定部２４は、収縮チューブ３０のうち絶縁被覆１８の周囲に被せられている部分の周囲に圧着されていてもよい。
【００４１】
しかしながら、第２電線固定部２４が、収縮チューブ３０のうち芯線露出部１５の周囲に被せられている部分の周囲に圧着されると共に、収縮チューブ３０の厚みを絶縁被覆１８の厚みと同程度に設定することで、端子２０として、ワイヤーバレルとインシュレーションバレルとを含む従来の端子２０を採用することができる。つまり、第１電線固定部２２が従来の端子２０のワイヤーバレルに相当し、第２電線固定部２４が従来の端子２０のインシュレーションバレルに相当する。これにより、新たに端子２０を設計する必要がなくなるため、コストを抑えることができる。
【００４２】
第１実施形態に係る端子付電線１０によると、収縮チューブ３０が電線１２のうち第１電線固定部２２が圧着される部分よりも後端側の芯線露出部１５から絶縁被覆１８に至る部分に被せられるため、止水剤４０が接続部２６まで流れることを抑制することができる。これにより、良好な端子２０の接続性を確保しつつ電線１２端部での絶縁被覆１８内部への水の浸入を抑制することができる。
【００４３】
また、端子２０が第１電線固定部２２に対して接続部２６とは反対側に設けられる第２電線固定部２４をさらに含み、第２電線固定部２４が収縮チューブ３０の周囲に圧着されているため、電線１２固定部が複数あるタイプの端子２０でも、良好な端子２０の接続性を確保しつつ電線１２端部での絶縁被覆１８内部への水の浸入を抑制することができる。
【００４４】
また、収縮チューブ３０のうち芯線露出部１５の周囲に被せられている部分の周囲に第２電線固定部２４が圧着されているため、収縮チューブ３０の厚みを絶縁被覆１８の厚みと同程度に設定することで、第２電線固定部２４が絶縁被覆１８に圧着される、いわゆるインシュレーションバレルである端子２０でも、良好な端子２０の接続性を確保しつつ電線１２端部での絶縁被覆１８内部への水の浸入を抑制することができる。
【００４５】
さらに、ここでは、端子２０圧着前の段階で、収縮チューブ３０を被せて収縮させると共に止水剤４０を硬化させるため、止水剤４０が接続部２６まで流れることをより確実に抑制することができる。
【００４６】
また、電線１２固定部において電線１２の径方向に沿って端子２０より外側に収縮チューブ３０が位置しないため、端子２０を相手側導体に接続する際に、収縮チューブ３０が周辺部材に干渉してしまうことを抑制することができる。
【００４７】
また、止水剤４０が完全に硬化していない状態で、第２電線固定部２４を収縮チューブ３０の周囲に加締めることで、その加締めによる力で止水剤４０をより確実に素線間に浸透させることができる。
【００４８】
｛第２実施形態｝
第２実施形態に係る端子付電線１０Ａについて説明する。図４は、芯線１４が溶接された電線１２Ａであって、収縮チューブ３０が被せられる前の電線１２Ａを示す正面図である。図５は、芯線１４が溶接された電線１２Ａであって、収縮チューブ３０が被せられた後の電線１２Ａを示す正面図である。図６は、第２実施形態に係る端子付電線１０Ａを示す正面図である。なお、本実施の形態の説明において、前の実施形態で説明したものと同様構成要素については同一符号を付してその説明を省略する（以下の各実施形態でも同様）。
【００４９】
第２実施形態に係る端子付電線１０Ａは、芯線露出部１５Ａで芯線１４が溶接されている点で、第１実施形態に係る端子付電線１０とは異なる。
【００５０】
具体的には、第２実施形態に係る端子付電線１０Ａの芯線１４は、第１実施形態に係る端子付電線１０の芯線１４と同様に、複数の素線を含む。そして、収縮チューブ３０が被される部分よりも先端側で、芯線露出部１５Ａの複数の素線同士が溶接されている。特に、ここでは、芯線露出部１５Ａのうち第１電線固定部２２が接続される部分の複数の素線同士が溶接されている。
【００５１】
つまり、ここでは、芯線露出部１５Ａに複数の素線同士が溶接された溶接部１６が形成されている。溶接部１６は、例えば、超音波溶接又は抵抗溶接等により形成されている。電線１２Ａの長手方向に沿った溶接部１６の寸法は、ここでは、第１電線固定部２２の寸法と同程度（第１電線固定部２２の寸法よりも若干大きく）設定されている。
【００５２】
溶接部１６は、収縮チューブ３０を被せる前、より詳細には、流動性を有する止水剤４０が芯線１４に付着する前の段階で形成されていることが好ましい。これにより、流動性を有する止水剤４０が芯線１４に付着した際に、毛細管現象等により止水剤４０が素線同士の間の隙間を通って芯線露出部１５Ａの先端まで達することを抑制することができる。つまり、溶接部１６が止水剤４０の浸入を食い止める防壁の役割を果たす。
【００５３】
なお、ここでは、溶接部１６は、第１電線固定部２２に接続される部分に形成されているが、このことは必須ではない。溶接部１６は、第１電線固定部２２に接続される部分よりも先端側であってもよいし、後端側であってもよい。溶接部１６が、芯線露出部１５Ａのうち収縮チューブ３０が被される部分よりも先端側に形成されていれば、止水剤４０が素線同士の隙間を通って接続部２６まで流れることを抑制することができる。この際、溶接部１６が、第１電線固定部２２に接続される部分、又はそれよりも後端側に形成されていると、止水剤４０が第１電線固定部２２に接続される部分まで流れることを抑制することができる。
【００５４】
第２実施形態に係る端子付電線１０Ａによっても、第１実施形態に係る端子付電線１０と同様の効果を得ることができる。
【００５５】
また、第２実施形態に係る端子付電線１０Ａによると、収縮チューブ３０が被される部分よりも先端側で、芯線露出部１５Ａの複数の素線同士が溶接された溶接部１６が形成されているため、溶接部１６によって止水剤４０が第１電線固定部２２より先端側の接続部２６まで流れてくることを抑制することができる。
【００５６】
特に、ここでは、芯線露出部１５Ａのうち第１電線固定部２２が接続される部分の複数の素線同士が溶接されているため、端子２０と電線１２Ａとの接続前の段階で止水剤４０が第１電線固定部２２に接続される部分まで流れて第１電線固定部２２と芯線１４との接続性が悪化することを抑制することができる。
【００５７】
｛第３実施形態｝
次に、第３実施形態に係る端子付電線１０Ｂについて説明する。図７は、第３実施形態に係る端子付電線１０Ｂを示す正面図である。
【００５８】
第３実施形態に係る端子付電線１０Ｂは、端子２０Ｂに第２電線固定部２４が設けられていない点で、第１実施形態に係る端子付電線１０とは異なる。つまり、ここでは、端子２０Ｂと電線１２とは、第１電線固定部２２でのみ固定されている。このため、端子付電線１０Ｂでは、収縮チューブ３０Ｂが電線固定部で加締められていない構成であることによって、収縮チューブ３０Ｂを被せて収縮させると共に止水剤４０を硬化させる作業が電線１２の端子接続作業によらない。即ち、第１実施形態に係る端子付電線１０と同様に、電線１２と端子２０Ｂとの接続よりも前に収縮チューブ３０Ｂを電線１２に取り付けてもよい。また、第１実施形態に係る端子付電線１０とは異なり、電線１２と端子２０Ｂとの接続よりも後に収縮チューブ３０Ｂを電線１２に取り付けてもよい。
【００５９】
第３実施形態に係る端子付電線１０Ｂによっても、第２電線固定部２４による効果以外の効果については、第１実施形態に係る端子付電線１０と同様の効果を得ることができる。
【００６０】
また、第３実施形態に係る端子付電線１０Ｂによると、端子２０Ｂを電線１２に接続した後に収縮チューブ３０Ｂを取り付けることも可能となる。これにより、第１電線固定部２２に接続された部分の素線間まで止水剤４０が流れたとしても、先に端子２０Ｂと電線１２とが接続されているため、端子２０Ｂと電線１２との接続の信頼性を確保することができる。
【００６１】
｛第４実施形態｝
次に、第４実施形態に係る端子付電線１０Ｃについて説明する。図８は、第４実施形態に係る端子付電線１０Ｃを示す正面図である。
【００６２】
第４実施形態に係る端子付電線１０Ｃでは、収縮チューブ３０Ｃが第２電線固定部２４の周囲に被せられている点で第１実施形態に係る端子付電線１０とは異なる。
【００６３】
具体的には、端子２０Ｃは、第１電線固定部２２に対して接続部２６とは反対側に設けられる第２電線固定部２４Ｃをさらに含む。ここでは、第２電線固定部２４Ｃも芯線露出部１５に圧着されている。そして、第１電線固定部２２及び第２電線固定部２４Ｃを芯線露出部１５に圧着した後に、第２電線固定部２４Ｃから絶縁被覆１８に至る部分の周囲に収縮チューブ３０Ｃが被せられて、収縮させられるとともに止水剤４０が硬化させられる。
【００６４】
第４実施形態に係る端子付電線１０Ｃによっても、第２電線固定部２４Ｃが収縮チューブ３０Ｃに圧着されることによる効果以外の効果については、第１実施形態に係る端子付電線１０と同様の効果を得ることができる。
【００６５】
また、第４実施形態に係る端子付電線１０Ｃによると、収縮チューブ３０Ｃが第２電線固定部２４Ｃの周囲に被せられているため、端子２０Ｃが第１電線固定部２２及び第２電線固定部２４Ｃが共に芯線１４に圧着される端子であっても、端子２０Ｃと電線１２との良好な接続性を確保しつつ電線１２端部での絶縁被覆１８内部への水の浸入を抑制することができる。
【００６６】
｛第５実施形態｝
次に、第５実施形態に係る端子付電線１０Ｄについて説明する。図９は、第５実施形態に係る端子付電線１０Ｄを示す正面図である。
【００６７】
第５実施形態に係る端子付電線１０Ｄでは、第２電線固定部２４Ｄよりも後端側に収縮チューブ３０Ｄが被せられている点で、第１実施形態に係る端子付電線１０とは異なる。
【００６８】
具体的には、端子２０Ｄは、第１電線固定部２２に対して接続部２６とは反対側に設けられる第２電線固定部２４Ｄをさらに含む。ここでは、第２電線固定部２４Ｄも芯線露出部１５に圧着されている。そして、芯線露出部１５のうち第１電線固定部２２及び第２電線固定部２４Ｄに圧着される部分よりも後端側の部分から絶縁被覆１８に至る部分の周囲に収縮チューブ３０Ｄが被せられて、収縮させられるとともに止水剤４０が硬化させられる。
【００６９】
なお、本実施形態に係る端子付電線１０Ｄでは、第３実施形態に係る端子付電線１０Ｂと同様に、収縮チューブ３０Ｄを被せて収縮させると共に止水剤４０を硬化させる作業が電線１２と端子２０Ｄとの接続作業によらない。即ち、電線１２と端子２０Ｄとの接続よりも前に収縮チューブ３０Ｄを電線１２に取り付けてもよいし、電線１２と端子２０Ｄとの接続よりも後に収縮チューブ３０Ｄを電線１２に取り付けてもよい。
【００７０】
第５実施形態に係る端子付電線１０Ｄによっても、第２電線固定部２４Ｄが収縮チューブ３０Ｄに圧着されることによる効果以外の効果については、第１実施形態に係る端子付電線１０と同様の効果を得ることができる。
【００７１】
また、第５実施形態に係る端子付電線１０Ｄによると、端子２０Ｄを電線１２に接続した後に収縮チューブ３０Ｄを取り付けることも可能となる。これにより、第１電線固定部２２及び第２電線固定部２４Ｄに接続された部分の素線間まで止水剤４０が流れたとしても、先に端子２０Ｄと電線１２とが接続されているため、電線１２と端子２０Ｄとの接続の信頼性を確保することができる。
【００７２】
なお、上記各実施形態で説明した各構成は、相互に矛盾しない限り適宜組み合わせることができる。
【００７３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７４】
１０  端子付電線
１２  電線
１４  芯線
１５  芯線露出部
１８  絶縁被覆
２０  端子
２２  第１電線固定部
２４  第２電線固定部
２６  接続部
３０  収縮チューブ
４０  止水剤
【図１】
2016167349.tif 000003
【図２】
2016167349.tif 000004
【図３】
2016167349.tif 000005
【図４】
2016167349.tif 000006
【図５】
2016167349.tif 000007
【図６】
2016167349.tif 000008
【図７】
2016167349.tif 000009
【図８】
2016167349.tif 000010
【図９】
2016167349.tif 000011